(57)【特許請求の範囲】
【請求項１】
一過性の湿潤紙力剤が配合されていない原紙に対して、糊又は樹脂が転写によって付与され、
糊又は樹脂の付与部分は、
所定範囲を有しかつ平面視においてしだいに幅狭になる部分を有する複数の単位付与部位が紙面に分散配置されているとともに、
各単位付与部位が、単位付与部位のしだいに幅狭になる部分の先端部分と他の単位付与部位とが接する狭小な部分である易分離部のみを介して連接するパターンとなっている、
ことを特徴とするトイレットペーパー。
【請求項２】
前記易分離部は、各単位付与部分が、実質的に点で接する部分である請求項１記載のトイレットペーパー。
【請求項３】
複数の原紙が重ね合わされた複数プライのトイレットペーパーであり、その積層内面に糊又は樹脂の付与部分が位置されている、請求項１又は２記載のトイレットペーパー。
【請求項４】
糊又は樹脂の付与量が、固形分で０．１〜２．０ｇ／ｍ2である、請求項１〜３のいずれか１項に記載のトイレットペーパー。
【発明の詳細な説明】
【技術分野】
【０００１】
本発明は、トイレットペーパーに関する。特にシャワートイレの使用後における拭き取り時の水分の吸収性に優れるとともに、廃棄時の水解性にも優れるトイレットペーパーに関する。
【背景技術】
【０００２】
温水洗浄便座付トイレ又はシャワートイレなどと称される便や尿等の体液排泄後の排泄部位を水・温水によって洗浄可能としたトイレ装置の普及にともない、トイレットペーパーにおいては、このようなトイレ装置による排泄部位の洗浄後の清拭作業の向上が求められている。具体的には、トイレットペーパーでは、排泄部位に付着した汚物を擦りとるようにして拭き取る際の拭き取り性、柔らかさ、肌触りに優れることが一般に要求されるが、係るトイレ装置とともに用いられる際には、さらに排泄部位等に付着した水分の吸収性と、その水分吸収された状態での拭き取りに耐えうる強度が要求される。
【０００３】
その一方で、トイレットペーパーは、使用態様として、使用後に便器内に投入して汚物とともに下水道等へと流して廃棄されることが多く、その際の配管を詰まらせない水解性も要求される。
【０００４】
従来は、水分吸収状態での拭き取り時の強度を向上させるべく、原紙中に乾燥紙力剤や一過性の湿潤紙力剤を配合することが行われているが、このような乾燥紙力剤や一過性の湿潤紙力剤は、トイレットペーパーの柔らかさや肌触り、水解性を悪化させるため、この点が十分ではないことがあり、その機能向上が求められている。
【先行技術文献】
【特許文献】
【０００５】
【特許文献１】特開２０１３−４６６７９号公報
【特許文献２】特開２０１２−２１３５０８号公報
【特許文献３】特開２０１３−９４２３８号公報
【発明の概要】
【発明が解決しようとする課題】
【０００６】
そこで、本発明の主たる課題は、水分の吸収性、水分を吸水した状態での強度に優れ、しかも水解性や肌触りにも優れるトイレットペーパーを提供することにある。
【課題を解決するための手段】
【０００７】
上記課題を解決した本発明は次記のとおりである。
【０００８】
〔請求項１記載の発明〕
一過性の湿潤紙力剤が配合されていない原紙に対して、糊又は樹脂が転写によって付与され、
糊又は樹脂の付与部分は、
所定範囲を有しかつ平面視においてしだいに幅狭になる部分を有する複数の単位付与部位が紙面に分散配置されているとともに、
各単位付与部位が、単位付与部位のしだいに幅狭になる部分の先端部分と他の単位付与部位とが接する狭小な部分である易分離部のみを介して連接するパターンとなっている、
ことを特徴とするトイレットペーパー。
【０００９】
〔請求項２記載の発明〕
前記易分離部は、各単位付与部分が、実質的に点で接する部分である請求項１記載のトイレットペーパー。
【００１０】
〔請求項３記載の発明〕
複数の原紙が重ね合わされた複数プライのトイレットペーパーであり、その積層内面に糊又は樹脂の付与部分が位置されている、請求項１又は２記載のトイレットペーパー。
【００１１】
〔請求項４記載の発明〕
糊又は樹脂の付与量が、固形分で０．１〜２．０ｇ／ｍ2である、請求項１〜３のいずれか１項に記載のトイレットペーパー。
【発明の効果】
【００１２】
以上の本発明によれば、水分の吸収性、水分を吸水した状態での強度に優れ、しかも水解性や肌触りにも優れるトイレットペーパーが提供される。
【図面の簡単な説明】
【００１３】
【図１】本発明の実施形態のトイレットペーパーを説明するための断面図である。
【図２】本発明の実施形態の糊又は樹脂の付与部分の例を説明するための平面図である。
【図３】本発明の実施形態の糊又は樹脂の他の付与部分の例を説明するための平面図である。
【図４】本発明の実施形態に係る易分離部を説明するための図である。
【図５】本発明の実施形態のトイレットペーパーの他の例を説明するための斜視図である。
【発明を実施するための形態】
【００１４】
本発明の実施形態を図１〜５を参照しながら以下に説明する。但し、本発明は、この実施形態に限られない。
【００１５】
本実施形態に係るトイレットペーパー１は、原紙１０の少なくとも一方の面１１に糊又は樹脂が転写によって付与されており、特に、その糊又は樹脂の付与部分２が、複数の所定範囲を有する単位付与部位２０が紙面に分散配置されているとともに、各単位付与部位２０が狭小な易分離部３０のみを介して連接するパターンとなっている。なお、図１に示すトイレットペーパー１は、２プライのものであり、各原紙１０，１０の対面する一方面１１，１１に付与部分を形成した例を示している。
【００１６】
本実施形態に係るトイレットペーパー１では、糊又は樹脂が、複数の所定範囲を有する単位付与部位２０が紙面に分散配置されているため、紙全体における吸水時の強度が向上され、また、特に各単位付与部分２０が連接しているため排泄部位を水・温水によって洗浄可能としたトイレ装置によって、排泄部位を洗浄したのちに清拭作業をする際に、当該排泄部位やその近傍に付着する程度の水分が吸収されて清拭操作が行われても破れ難い。また、その一方で、各単位付与部分２０が分散配置されていることから非付与部分４０も分散的に位置しているため、水分の吸収性も確保される。すなわち、吸水性と吸水時の強度とがともに向上される。さらに、付与部分２は、各単位付与部分２０が狭小な易分離部３０のみを介して連接するパターンとなっているため、便器の水溜りへの廃棄後など多量の水の中に位置した際には、繊維全体のほぐれや水洗廃棄時の水流等によってその易分離部で各単位付与部分が容易に分離され小片となるため、水解性にも優れる。以下、さらに本実施形態の構成と作用効果等について詳述していく。
【００１７】
まず、本実施形態に係る単位付与部分２０は、付与部分２を構成する紙面に分散配置される一つの糊又は樹脂の配置部であり、その形状及び面積については限定されない。ただし、単位付与部分２０一つ当たりの面積は、１〜４００ｍｍ2であるのが望ましい。１ｍｍ2未満であると水分吸収時の強度が高まりがたく、４００ｍｍ2を超えると廃棄に単位付与部分が大きく残り水解性の向上が十分でなくなるおそれが高まる。
【００１８】
また、付与部分２を構成する各単位付与部分２０の形状、面積はすべて同一でなくてもよい。したがって、付与部分は、図２に示す同一形状・同一面積の三角形の単位付与部分２０が各頂点で接して易分離部３０を形成しているような、同一形状・同一面積の各単位付与部で構成されるものに限らず、図３に示す四角形と円形の単位付与部分２０で構成されるような、複数種の形状・さらには面積の単位付与部分を有し、それらが接する部分を易分離部とするようなパターンで構成されていてもよい。ただし、上記の同一形状、同一面積の単位付与部分２０が整列配置されていると、紙面における強度及び吸水性のムラなく均一となるため、かかる同一形状、同一面積の単位付与部分から構成される付与部分のパターンであるのが望ましい。
【００１９】
なお、本実施形態に係る単位付与部分２０により囲まれる非付与部分４０一つ当たりの面積は、２２５ｍｍ2以下とするのが望ましい。２２５ｍｍ2を超えるとその部分が水分吸収時に破れるおそれがでてくる。
【００２０】
他方、本実施形態に係るトイレットペーパー１では、糊又は樹脂を付与した付与面１１における付与部分２の総面積率は、３０〜７０％とするのが望ましい。３０％未満では、吸水時における強度の発現が十分ではなく、７０％を超えると非付与部分４０の範囲が小さくなり吸水性が悪化し、また、柔らかさや肌触りの向上効果が十分とならないおそれがある。
【００２１】
糊又は樹脂の具体的な付与量としては、付与面１１当たり固形分で０．１〜２．０ｇ／ｍ2とするのが望ましい。０．１ｇ／ｍ2未満では、吸水時における強度の発現が十分ではなく、２．０ｇ／ｍ2を超えると水解性が悪化するおそれが高まる。また、柔らかさや肌触りの向上効果が十分とならないおそれがある。特に、上記付与部分２の総面積率の範囲とともに、この付与量とすると水分吸収時の強度と水解性とのバランスにより優れ、効果的である。
【００２２】
本実施形態に係る付与部分２における易分離部３０は、水解性を向上させるために廃棄時に単位付与部分２０の分散を助長する各単位付与部分２０間における分離しやすくした部位である。その易分離部３０は、各単位付与部分２０が実質的に点で接する部位であるのが望ましい。係る各単位付与部分２０の分離が極めて容易になされるからである。なお、実質的にとは、糊又は樹脂の付与の際に完全な点となることはなく、付与時の若干のにじみ等によって製造上形成される、ある程度の幅を許容する意味である。ここで点による易分離部３０としては、各単位付与部２０の形状によって適宜に形成され、具体的には、図４に示すように、頂点と頂点の接点（図４（Ａ））、頂点と線との接点（図４（Ｂ））、曲線と曲線との接点（図４（Ｃ））、曲線と直線との接点（図４（Ｄ））等の各単位付与部分２０間の実質的な接点である。ただし、易分離部３０は、必ずしも接点に限られるわけではなく、図４（Ｄ）に示すようなくびれ部分でもよい。ただし、好ましくは、分離のしやすさからして上記接点が易分離部とされるパターンである。
【００２３】
糊又は樹脂の紙面への転写方法は、ロール転写が望ましく、グラビア印刷機、フレキソ印刷機などの公知の塗布設備によりパターン印刷して行うことができる。ここで、本実施形態に係るトイレットペーパー１では、糊又は樹脂を転写によって所定範囲を有する単位付与部分２０を紙面に形成するため、糊又は樹脂が付与されるトイレットペーパー１の原紙１０の特に表層面に留まりやすい。換言すれば紙に付与した際に過度に紙層に浸透するようなものでは拡散して単位付与部分２０や易分離部３０が形成されない。そして、本実施形態に係るトイレットペーパー１では、乾燥紙力剤や一過性の湿潤紙力剤を原紙に配合する等して紙全体を改質するのではなく、転写によって糊又は樹脂を付与することで紙の表層面にその糊又は樹脂が留まるようにして、とりわけ便器の水溜りへの廃棄後など多量の水の中に位置した際に、非付与部分４０や糊又は樹脂が転写されていない非付与面から紙層内に水分が多量に迅速に浸透して繊維全体がほぐれ、また水洗廃棄時の水流等によって上記易分離部３０で各単位付与部分２０が容易に分離され小片となり水解性に優れるようになる。また、排泄部位を水・温水によって洗浄可能としたトイレ装置によって、排泄部位を洗浄したのちに清拭作業をする際に、当該排泄部位やその近傍に付着する程度の水分が吸収されて清拭操作が行われても、その程度の水分は非付与部分４０や非付与面において浸透拡散することで易分離部３０での分離が助長されず清拭時には破れ難い。かかる水分の浸透・拡散による本実施形態に付与部分及びその転写による形成よる機能は、後述の一般的なトイレットペーパーの米坪、紙厚及びそれから算出される密度の範囲において、その機能が十分に発揮される。
【００２４】
一方、本実施形態に係る糊又は樹脂は、転写に応じた付与パターンで付与部分２を形成可能なものであればよい。転写設備に応じて、より具体的にはその設備において刷版に形成した塗布パターンに応じた付与部分を形成可能なものを適宜選択すればよい。選択は、例えば、転写可能な粘度、紙層への浸透性、付与態様の紙の組成等を適宜に考慮する。上記の紙面表層面に留まりやすく、本実施形態の効果を効果的に発揮する糊の具体例としては、カルボキシメチルセルロース、澱粉糊が挙げられる。特に、澱粉糊は、水溶性であるとともに適当な粘度でパターン印刷しやすく、また、付与時に紙表層部に留まらせやすい。また、安定性があり製造装置を構成する金属部材と触れても悪影響を及ぼすことはない。
【００２５】
樹脂としては、ポリエチレン樹脂、ポリプロピレン樹脂、さらに印刷用の樹脂性インクが挙げられる。特に、ポリエチレン樹脂、ポリプロピレン樹脂は、適当な粘度でパターン印刷しやすく、紙表層部に留まらせやすい。また、樹脂としては安価であり、耐水性に優れて水分吸収時における強度が発揮されやすく、さらに、柔軟性に優れ紙の柔らかさや肌触りを悪化させないとともに、その柔軟性からして水流等によって容易に易分離部で単位付与部の分離が生ずる。なお、糊又は樹脂は、適宜の溶媒、例えば、水、エタノール、有機溶媒により希釈して粘度調整するなどして用いることができる。また、インクは着色することを目的としているため、状況に応じて樹脂や糊と使い分けたり、組み合わせたりすることが好ましい。
【００２６】
他方、本実施形態に係るトイレットペーパー１においては、糊又は樹脂の付与面１１が、両面であっても片面であってもよいが、片面のみに形成しても十分に水分吸収時の強度向上が得られるので、上述の非付与面からの水分浸透によって奏する水解性の観点から片面のみに形成するのが望ましい。
【００２７】
また、本実施形態にかかるトイレットペーパー１は、プライ数は限定されないが、好ましくは２プライ以上の複数プライであり、図１に示すように、そのような複数プライにおける積層内面に付与部分２が位置しているのが望ましい。積層内面は、使用時に肌に触れない面であるため、当該積層内面に付与部分を位置させると、使用者に安心感を与えるものとなる。また、糊又は樹脂の付与面は付与部分と非付与部分との表面性の差から肌触りに違和感が生ずるおそれがあるが、積層内面であれば肌触りには影響がない。また、糊又は樹脂を付与したのちに、当該付与面が加工設備と接触した際に当該加工設備に糊又は樹脂が付着したり、また、付与面にチリ等が付着するおそれがあっても、積層内面に位置させれば、少なくとも積層後においては、そのようなおそれはなくなる。また、複数プライの積層内面に付与面を形成する場合には、プライ同士を接着するプライ接着糊として機能させることもできる。他方で、特に図５に示す３プライ以上のトイレットペーパーでは、表裏を構成する原紙１０Ａ，１０Ａの積層内面に糊又は樹脂が付与された付与面１１とし、中層を構成する原紙１０Ｂについては糊又は樹脂を付与しないようしてもよい。もちろん、中層１０Ｂの各面又は一方面に付与部分２を形成してもよい。
【００２８】
本実施形態に係るトイレットペーパー１において糊又は樹脂を付与する原紙１０については特に限定されない。一般的なトイレットペーパーに用いる原紙を用いることができる。上述のとおり本実施形態に係る効果が十分に発揮される原紙を一般的な原紙を例示すれば、米坪１０〜３０ｇ／ｍ２、紙厚９０〜２５０μｍ、パルプ原料の組成比率（ＮＢＫＰ：ＬＢＫＰ）が１０：９０〜９０：１０のものである。なお、ここでの米坪は、ＪＩＳ  Ｐ  ８１２４（１９９８）に準じて測定した値であり、紙厚は、ＪＩＳ  Ｐ  ８１１８（１９９８）の条件下で、ダイヤルシックネスゲージ（厚み測定器)「ＰＥＡＣＯＣＫ  Ｇ型」（尾崎製作所）を用いて測定した値である。なお紙厚の具体的な測定は、まず、プランジャーと測定台の間にゴミ、チリがないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと紙面に対し垂直に下ろしそのときのゲージを読み取る。このとき、プランジャーをのせるだけとする。プランジャーの端子は金属製で直径１０ｍｍの平面が紙平面に対し垂直に当たるようにし、この紙厚測定時の荷重は、約７０ｇｆである。なお紙厚は測定を１０回行って得られる平均値とする。
【００２９】
以上詳述のとおり本実施形態のトイレットペーパーでは、排泄部位を水・温水によって洗浄可能としたトイレ装置によって、排泄部位を洗浄したのちに清拭作業をする際に、当該排泄部位やその近傍に付着する程度の水分が吸収されて清拭操作が行われても破れ難く、また、その一方で、水解性も確保され、しかも、肌触りや柔らかさにも優れる。
【実施例】
【００３０】
次いで、本願発明と実施例及び比較例を作成し、拭き取り性、水解性について試験し、評価した。各例の製造条件・組成・物性等及び試験結果については、下記表１に示す。なお、実施例及び比較例は、パルプ配合比（ＮＢＫＰ：ＬＢＫＰ）を３０：７０で原紙を抄造した。また、各実施例には、紙力剤を添加せず、比較例には、一過性の湿潤紙力剤（ＴＳ４０７０（星光ＰＭＣ社製））を２ｋｇ／ｔ添加した。
【００３１】
また、実施例１，２は、図２に示す糊の付与パターンとし、実施例３は、図３に示す糊の付与パターンとし、その糊付与面を内面として、２プライのティシュペーパーとした。糊は、澱粉糊を用いた。付与量は、下記表１中に示す。比較例については、糊を付与せずに、２プライのティシュペーパーとした。
【００３２】
〔拭き取り性〕拭き取り性の試験は、被験者１０名に、実際に温水便座付トイレの使用後に、各例に係るトイレットペーパーで拭き取りを行なってもらうことにより行なった。評価は、使用後に「使用に問題なかった」ものを○、「破れる等の不具合で使用が困難であった」ものを×と評価してもらい、○をつけた人の割合が５０％以上のものを良（表１中○で示す）、×をつけた人の割合が５０％より少ないものを不適と判断した。
〔水解性〕ＪＩＳ Ｐ ４５０１で規定される、ほぐれやすさの試験方法に基づいて試験した。
【００３３】
【表１】
0006490379.tif 000002
【００３４】
表１に示されるように、本発明の実施例は、拭き取り性及び水解性において良好な結果となった。比較例については、拭き取り性については問題がなかったが、水解性については、解れるまでに本願発明の約３倍程度の時間を要しており、本願発明の実施例が極めて水解性が向上されていることが示されている。
【符号の説明】
【００３５】
１・・・トイレットペーパー、１０・・・原紙、１１・・・付与部分形成面（付与面）、２・・・付与部分、２０・・・単位付与部分、３０・・・易分離部、４０…非付与部分、１０Ａ…表裏面を構成する原紙、１０Ｂ…中層を構成する原紙。
【図１】
0006490379.tif 000003
【図２】
0006490379.tif 000004
【図３】
0006490379.tif 000005
【図４】
0006490379.tif 000006
【図５】
0006490379.tif 000007